(57)【要約】【課題】  ランプとソケットを位置合わせするための他の部材を必要とせず、ランプの径が異なる場合でもランプとソケットを容易かつ確実に接続する。【解決手段】  直管蛍光ランプ１を収めるシリンダ２の両端に、ソケットを収めるホルダを配置したランプ保持ユニット７を備え、ランプ保持ユニット７の一端側からランプ１が挿入され、ランプピン１ａがソケットの導電板に接続される照明器具において、ランプ保持ユニット７の他端側のソケット４の導電板９は、ランプ保持ユニット中心軸Ｔからのランプ１のずれに対してもランプピン１ａが接触するように、接触面積を大きくした。これにより、ランプ交換の際、ランプの挿入方向先端側のランプ径とシリンダの内径との差による隙間に、ランプの先端側が自重によって傾き、ソケット４の中心Ｔからずれていても確実に接続でき、ランプの径が異なる場合でも対応できる。【選択図】  図１
2005268161.tif 000002
【特許請求の範囲】
【請求項１】
直管蛍光ランプを収めるシリンダの両端に、ソケットを収めるホルダを配置したランプ保持ユニットを備え、前記ランプ保持ユニットの一端側から前記ランプが挿入され、ランプピンが前記ソケットの導電板に接続される照明器具において、前記ランプ保持ユニットの他端側のソケットの導電板は、ランプ保持ユニット中心軸からのランプのずれに対してもランプピンが接触するように、接触面積を大きくしたことを特徴とする照明器具。
【請求項２】
ランプピンの水平の並びに対して、鉛直下方向にソケットのランプピン挿入穴と導電板を伸ばした請求項１記載の照明器具。
【請求項３】
ランプピンが少なくともランプ軸周りに回転し得る範囲まで導電板を広げた請求項１記載の照明器具。
【請求項４】
前記導電板は、ソケット中心方向に向かってランプピン挿入側へ傾斜を持つ請求項１，２または３記載の照明器具。
【請求項５】
前記導電板の長手方向に並ぶように、ランプピンと接触し得る凹部を持つ請求項２記載の照明器具。
【請求項６】
前記導電板の凹部は、ランプ径の違うランプピン位置に対応している請求項５記載の照明器具。
【請求項７】
前記ランプ保持ユニットの一端側のソケットの導電板は、ランプ径の違うランプピン位置に対応した凹部を持つ請求項５または６記載の照明器具。
【発明の詳細な説明】
【技術分野】
【０００１】
この発明は、主に防爆用照明器具などのランプソケットについての照明器具に関するものである。
【背景技術】
【０００２】
従来、ソケット本体、及びランプを密閉したシリンダ内に収めて使用する防爆用照明器具では、各器具毎に適合のランプが決められており、それぞれのランプの太さに合わせた器具およびシリンダ設計がなされていた。しかし、シリンダを共用しようとする場合、シリンダの太さは、最も太いランプ径に合わせて設計されるため、最も細い径のランプを使用する場合は、ランプとシリンダとの間の隙間が大きくなってしまう。
【０００３】
すなわち、図１１は従来の照明器具の問題点を示す要部断面図である。このようにシリンダ５１およびその両端のホルダ５２およびソケット５３等からなるランプ保持ユニットにおいて、ランプ５０は片方のソケットの背面側から挿入し、シリンダ５１内を通って、もう一方のソケット５３へ嵌合させなければならない。このランプ装着操作では、ランプ５０の一端のみを持って作業するためランプ５０の他端を浮かせたまま挿入する事は難しい（特にランプ長が長い場合）。その場合は、重力によってランプ５０はシリンダ５１との間に隙間があることで傾き、ランプ先端はシリンダ内面に当接しながら挿入される。
【０００４】
ソケット５３はシリンダ５１の中心に配置されているため、ランプ先端がシリンダ内面に当接した状態では、ランプ５０はソケット５３に嵌合できない。
【０００５】
そこで、ランプをシリンダ内中心を水平のまま挿入出来るように、ランプに装着し、シリンダ内面に弾接するようなリング部品を使用する方法を考案している（例えば特許文献１）。
【０００６】
また、ソケットにランプの傾きを補正することが可能な傾斜部を形成した照明装置もある（例えば特許文献２）。この場合、傾斜部により案内されたランプピン先端が電極台に接触する。電極台は２極一体の剛体であり、独立していない。
【特許文献１】実開昭６３−８５８０７号公報
【特許文献２】実開平６−５０１４７号公報
【発明の開示】
【発明が解決しようとする課題】
【０００７】
しかしながら、上記従来例の照明器具において、リング部品を使用する場合では、リング部品分のコストアップになるとともに、リング部品がランプの陰になり、配光及び見栄えが悪くなる。また、事前にランプへ装着しなければならないなど、ランプ着脱操作が面倒である。
【０００８】
また、ランプの傾きを補正する場合では、ランプ交換は、ランプ保持ユニットの一端からランプの端を持って行うため、先端側ではランプの自重によって、ソケットの中心に持って行くことが難しい。そのため、上記のようにランプピンをソケットの中心へ案内する傾斜部をソケットに設けているが、ソケットは樹脂製のためランプピンによって削れ、ガイド性が低下する。また、ランプ径の違いに対応できないという問題もある。
【０００９】
したがって、この発明の目的は、ランプとソケットを位置合わせするための他の部材を必要とせず、ランプの径が異なる場合でもランプとソケットを容易かつ確実に接続できる照明器具を提供することである。
【課題を解決するための手段】
【００１０】
上記課題を解決するためにこの発明の請求項１記載の照明器具は、直管蛍光ランプを収めるシリンダの両端に、ソケットを収めるホルダを配置したランプ保持ユニットを備え、前記ランプ保持ユニットの一端側から前記ランプが挿入され、ランプピンが前記ソケットの導電板に接続される照明器具において、前記ランプ保持ユニットの他端側のソケットの導電板は、ランプ保持ユニット中心軸からのランプのずれに対してもランプピンが接触するように、接触面積を大きくした。
【００１１】
請求項２記載の照明器具は、請求項１記載の照明器具において、ランプピンの水平の並びに対して、鉛直下方向にソケットのランプピン挿入穴と導電板を伸ばした。
【００１２】
請求項３記載の照明器具は、請求項１記載の照明器具において、ランプピンが少なくともランプ軸周りに回転し得る範囲まで導電板を広げた。
【００１３】
請求項４記載の照明器具は、請求項１，２または３記載の照明器具において、前記導電板は、ソケット中心方向に向かってランプピン挿入側へ傾斜を持つ。
【００１４】
請求項５記載の照明器具は、請求項２記載の照明器具において、前記導電板の長手方向に並ぶように、ランプピンと接触し得る凹部を持つ。
【００１５】
請求項６記載の照明器具は、請求項５記載の照明器具において、前記導電板の凹部は、ランプ径の違うランプピン位置に対応している。
【００１６】
請求項７記載の照明器具は、請求項５または６記載の照明器具において、前記ランプ保持ユニットの一端側のソケットの導電板は、ランプ径の違うランプピン位置に対応した凹部を持つ。
【発明の効果】
【００１７】
この発明の請求項１記載の照明器具によれば、ランプ保持ユニットの他端側のソケットの導電板は、ランプ保持ユニット中心軸からのランプのずれに対してもランプピンが接触するように、接触面積を大きくしたので、ランプ交換の際、ランプ保持ユニットの一端からランプの端を持って行うことで、ランプの挿入方向先端側のランプ径とシリンダの内径との差による隙間に、ランプの先端側が自重によって傾き、ソケットの中心からずれていても確実に接続できる。また、ランプの径が異なる場合でも、ランプを確実に接続できる。
【００１８】
請求項２では、ランプピンの水平の並びに対して、鉛直下方向にソケットのランプピン挿入穴と導電板を伸ばしたので、最小径のランプが最大に傾いた場合でもランプピンが導電板に接触する。
【００１９】
請求項３では、ランプピンが少なくともランプ軸周りに回転し得る範囲まで導電板を広げたので、ランプピンがランプ保持ユニット中心軸に対して横方向に傾いている場合、またはランプ軸周りの回転方向にずれていてもランプを確実に接続できる。
【００２０】
請求項４では、導電板は、ソケット中心方向に向かってランプピン挿入側へ傾斜を持つので、導電板に接触したランプピンをソケット中心方向へ案内することができる。導電板は金属のため摩擦は小さくガイド性がよい。
【００２１】
請求項５では、導電板の長手方向に並ぶように、ランプピンと接触し得る凹部を持つので、ソケット中心でなくても接触が安定する。
【００２２】
請求項６では、導電板の凹部は、ランプ径の違うランプピン位置に対応しているので、それぞれのランプ径のランプピンが、ソケット中心でなくても接触が安定する。この場合、ランプ径が大きいほどランプ保持ユニット中心からのずれが小さいため、ソケット中心よりに配置される。
【００２３】
請求項７では、ランプ保持ユニットの一端側のソケットの導電板は、ランプ径の違うランプピン位置に対応した凹部を持つので、上記ランプ保持ユニットの他端側の導電板の凹部と併用することで、ランプ径によらず細管のランプであっても、ランプを平行に保持できる。
【発明を実施するための最良の形態】
【００２４】
この発明の第１の実施の形態を図１〜図４に基づいて説明する。図１（ａ）は本発明の第１の実施形態の照明器具のランプ保持ユニットの閉鎖側の分解斜視図、（ｂ）はその組立て状態の断面図、図２は本発明の第１の実施形態の照明器具の断面図、図３は本発明の実施形態の照明器具の全体斜視図である。
【００２５】
図１および図２に示すように、直管蛍光ランプ１を収めるシリンダ２の両端に、ソケット３，４を収めるホルダ５，６を配置したランプ保持ユニット７を備え、ランプ保持ユニット７の一端側からランプ１が挿入され、ランプピンがソケット３，４の導電板に接続される構成である。
【００２６】
直管蛍光ランプ１は、ランプ口金に突設したランプピンがソケット３，４に接続される。シリンダ２はランプ１の径より大きく形成された筒状の透光性を有する部材で形成されている。ソケット３，４は、ランプ保持ユニット７の一端のランプ交換側のソケット３と他端の閉鎖側のソケット４で構造が異なる。
【００２７】
閉鎖側のソケット４は、ホルダ６に嵌合するように形成され、ランプ口金を受ける受金面部４ａに一対のランプピン挿入穴８が形成されている。ソケット４の内部には一対の導電板９が収めてある。導電板９はランプピンと接続可能なようにランプピン挿入穴８の内側に配置され、挿入方向に弾性を有するように略Ｕ字形に形成された弾性片である。この場合、導電板９のランプ保持ユニット７の中心軸Ｔ（ソケット中心と同じ）に位置する保持部９ａが奥側へ凹むように屈曲形成することで、ランプピンを安定した状態で保持できる。
【００２８】
また、ランプ１の挿入方向先端側のランプ径とシリンダの内径との差による隙間に、ランプ１の先端側が自重によって傾く。そのため、ソケットの導電板９は、ランプ保持ユニット中心軸Ｔからのランプ１のずれに対してもランプピンが接触するように、接触面積を大きくしている。この場合、ランプピンの水平の並びに対して、鉛直下方向にソケット４のランプピン挿入穴８と導電板９を伸ばした。これにより最小径のランプ１が最大に傾いた場合でも、ランプピンが導電板９に接触するようにした。また、導電板９はソケット中心方向に向かってランプピン挿入側へ傾斜を持つ。この傾斜によりランプピンをソケット中心Ｔへガイドすることも可能である。また、導電板９はソケット４の上部に位置する接続部１０と一体に形成されている。
【００２９】
ホルダ６は、ソケット４の外径と略同じ寸法の内径を有する筒状であり、一方はシリンダ２を嵌合する開口であり、他方はホルダカバー１２が取り付けられる。ホルダ４の内周面に周方向にソケット４を位置決めするストッパ部１１が形成されている。また、ホルダ６の上部に穴１３が設けられ、この穴１３を通してソケット４の接続部１０を器具側に接続可能としている。ホルダカバー１２の内側面にはソケット４を付勢するスプリング１４が設けてある。
【００３０】
ランプ交換側のソケット３は差し込み式である。すなわち、ソケット３にはランプピン挿入穴に対応して一対の導電板１５が内部に収めてある。導電板１５はランプピンを挟持可能な挟持部１５ａを有し、閉鎖側と同様にソケット３の上部に位置する接続部１０’と一体に形成されている。また、ソケット３を嵌合するホルダ５は、一方がシリンダ２を嵌合する開口であり、他方はホルダカバー１６が取り付けられる。このホルダカバー１６は開閉可能である。
【００３１】
また、図３に示すように、両ホルダ５，６は点灯回路を内蔵した器具本体１７に取り付けられ、器具本体１７は天井取付部１８により吊持されている。
【００３２】
次に上記照明器具の施工手順について説明する。ランプ１の一端にソケット３を装着する。ランプピン接触は上記のように差し込み式であり、ランプピンをしっかり保持する。ホルダカバー１６を開けて、ホルダ５からソケット３を持ってランプ１を挿入する。この際、図２に示すように、ランプ１が自重で傾いた状態でもランプピン先端は導電板９に接触している。この状態でもよいが導電板９の傾斜によりガイドされて保持部９ａに接続することもできる。また、ソケット装着状態において、両ソケット５，６の接続部１０，１０’が器具側の端子に弾性により圧着し導通状態となる。この後、ホルダカバー１６を閉める。
【００３３】
以上のようにこの実施形態によれば、ランプ交換の際、ランプ保持ユニット７の一端からランプ１の端を持って行うことで、先端側がランプ１の自重によってソケット３の中心Ｔからずれていても確実に接続できる。また、ランプ１の径が異なる場合でも、ランプ１を確実に接続できる。
【００３４】
なお、導電板９は、図４に示すように、長手方向に沿った中心線で折り曲げた折曲部９ｂを有する断面Ｖ形にしてもよい。この場合、ランプピン１ａが２点接触となり、導通が安定する。
【００３５】
この発明の第２の実施の形態を図５および図６に基づいて説明する。図５（ａ）は本発明の第２の実施形態の照明器具の閉鎖側ソケットの斜視図、（ｂ）はその導電板の斜視図、図６（ａ）は第２の実施形態の作用を示す水平断面図、（ｂ）は側面から見た説明図である。
【００３６】
図５に示すように、第１の実施形態と比較して、閉鎖側のソケット２０に収められる一対の導電板２１を、ランプピンが少なくともランプ軸周りに回転し得る範囲まで広げている。この場合、導電板２１のランプピン接触部２１ａが凹形の球面状であり、ランプ挿入方向に弾性を有する略Ｕ形の弾性片の一端に固着されている。また、ランプピン接触部２１ａに対応するように、ソケット２０のランプピン挿入穴２２を広げるとともにランプピンの両方が片側に入るのを防ぐために仕切部２３を形成している。仕切部２３は、ランプ口金を受ける受金面部２０ａより突出し、ランプピンをガイド可能なように両側のランプピン挿入穴２２へ傾斜している。
【００３７】
本実施形態では、図６（ａ），（ｂ）に示すように、ランプピンがランプ保持ユニット中心軸Ｔに対して横方向に傾いている場合、またはランプ軸周りの回転方向にずれていても、導電板２１のランプピン接触部２１ａに接触する。また、ランプピン接触部２１ａの曲面により、本来のランプピン位置へガイドすることもできる。図６（ｂ）において、１ａは本来の位置にあるランプピン、１ａ’は本来の位置からずれている場合のランプピンである。
【００３８】
この発明の第３の実施の形態を図７および図８に基づいて説明する。図７（ａ）は本発明の第３の実施形態の照明器具の閉鎖側ソケットの斜視図、（ｂ）はその断面図、（ｃ）その要部拡大図、図８は第３の実施形態における導電板の例を示す斜視図である。なお、第１の実施形態と同一部分には同一符号を付す。
【００３９】
図７に示すように、第１の実施形態と比較して、閉鎖側のソケット４に収められる一対の導電板２５が、その長手方向に並ぶように、ランプピンと接触し得る凹部２５ａを持つ。導電板２５は、図８（ａ）に示すようにランプ挿入方向に弾性を有する略Ｕ形の弾性片であり、その一端側を屈曲して凹部２５ａを形成している。この場合、図７（ｃ）に示すように、凹部２５ａは、ランプ径の違うランプピン位置に対応して、３つ形成している。上から１番目の凹部２５ａはφ３２ｍｍ管のランプピン１ａの位置に対応し、ソケット中心Ｔにある。２番目の凹部２５ａはφ２８ｍｍ管のランプピン１ａの位置に対応し、３番目の凹部２５ａはφ２５ｍｍ管のランプピン１ａの位置に対応している。これにより、ソケット中心Ｔでなくても接触が安定する。
【００４０】
なお、導電板２５の凹部２５ａは、上記図８（ａ）の屈曲部の他、（ｂ）のように穴にしてもよく、（ｃ）のように半球面、凹面にしてもよい。
【００４１】
この発明の第４の実施の形態を図９および図１０に基づいて説明する。図９（ａ）は本発明の第４の実施形態の照明器具のランプ交換側ソケットの斜視図、（ｂ）はその導電板の拡大図、図１０は第４の実施形態における導電板の別の例を示す斜視図である。
【００４２】
図１０に示すように、第１の実施形態と比較して、ランプ交換側のソケット２７の導電板２８は、ランプ径の違うランプピン位置に対応した凹部を持つ。この場合、導電板２８はランプピンを挟持可能な挟持部２８ａを有し、この挟持部２８ａをソケット中心Ｔより下方向に伸ばしてある。これにより、ランプ管径が最も大きい場合はランプピンを挟持部２８ａのソケット中心Ｔに差し込み、ランプ管径が小さくなるにつれて挟持部２８ａの下方に差し込むことができる。また、ソケット２７のランプピン挿入穴２９を挟持部２８に対応するように長く形成してある。また、閉鎖側の構成は第３の実施形態と同様に構成する。
【００４３】
本実施形態では、第３の実施形態においてランプ交換側についてもランプ径違いで挿入位置を変えて挿入することができる。このため、両側のランプピン挿入位置を合わせることができ、ランプをシリンダに対して平行に保つことができる。
【００４４】
なお、図１０に示すように、導電板２８は、挟持部２８ａに各ランプ管径のランプピン位置に対応するように屈曲部２８ｂを形成してもよい。
【図面の簡単な説明】
【００４５】
【図１】（ａ）は本発明の第１の実施形態の照明器具のランプ保持ユニットの閉鎖側の分解斜視図、（ｂ）はその組立て状態の断面図である。
【図２】本発明の第１の実施形態の照明器具の断面図である。
【図３】本発明の実施形態の照明器具の全体斜視図である。
【図４】（ａ）は本発明の第１の実施形態における導電板の別の例を示す斜視図、（ｂ）はその断面図である。
【図５】（ａ）は本発明の第２の実施形態の照明器具の閉鎖側ソケットの斜視図、（ｂ）はその導電板の斜視図である。
【図６】（ａ）は第２の実施形態の作用を示す水平断面図、（ｂ）は側面から見た説明図である。
【図７】（ａ）は本発明の第３の実施形態の照明器具の閉鎖側ソケットの斜視図、（ｂ）はその断面図、（ｃ）その要部拡大図である。
【図８】第３の実施形態における導電板の例を示す斜視図である。
【図９】（ａ）は本発明の第４の実施形態の照明器具のランプ交換側ソケットの斜視図、（ｂ）はその導電板の拡大図である。
【図１０】第４の実施形態における導電板の別の例を示す斜視図である。
【図１１】従来の照明器具の問題点を示す要部断面図である。
【符号の説明】
【００４６】
１  ランプ
２  シリンダ
３，２７  ランプ交換側ソケット
４，２０  閉鎖側ソケット
５  ランプ交換側ホルダ
６  閉鎖側ソケット
７  保持ユニット
８  ランプピン挿入穴
９，２１，２５  導電板
２５ａ  凹部
【図１】
2005268161.tif 000003
【図２】
2005268161.tif 000004
【図３】
2005268161.tif 000005
【図４】
2005268161.tif 000006
【図５】
2005268161.tif 000007
【図６】
2005268161.tif 000008
【図７】
2005268161.tif 000009
【図８】
2005268161.tif 000010
【図９】
2005268161.tif 000011
【図１０】
2005268161.tif 000012
【図１１】
2005268161.tif 000013